(57)【要約】【課題】筐体の薄型化を実現しつつ、効率の良い実装容積の確保と筐体の強度の維持とを可能とする。【解決手段】第１の外装部材７と第２の外装部材１５とを部分的に重ね合わせて固定する際に両外装部材７、１５の間に板状の嵌合部材６を配置し、第１の外装部材７に形成された第１の接合部７１、７２、７３に、嵌合部材６に形成された第１の嵌入部６１、６２、６３を嵌め込むとともに、第２の外装部材１５に形成された第２の接合部１５１、１５２、１５３に、嵌合部材６に形成された第２の嵌入部６４、６５、６６を嵌め込むことで、両外装部材７、１５を接合する。【選択図】図３
2008275840.tif 000002
【特許請求の範囲】
【請求項１】
第１の外装部材と第２の外装部材とを重ね合わせて構成される筐体において、
前記第１の外装部材及び前記第２の外装部材の少なくとも一方に接合部が形成され、
前記第１の外装部材と前記第２の外装部材とを重ね合わせて固定する際に両外装部材の間に配置され、前記接合部に嵌め込む嵌入部が形成された板状の嵌合部材を備えることを特徴とする筐体。
【請求項２】
前記嵌合部材は、前記嵌入部を避ける位置にスイッチ部材を配置することを特徴とする請求項１に記載の筐体。
【請求項３】
１つの筐体を構成する第１の外装部材と第２の外装部材を接合するための外装部材接合方法であって、
前記第１の外装部材と前記第２の外装部材とを重ね合わせて固定する際に両外装部材の間に板状の嵌合部材を配置し、
前記第１の外装部材及び前記第２の外装部材の少なくとも一方に形成された接合部に、前記嵌合部材に形成された嵌入部を嵌め込むことで、両外装部材を接合することを特徴とする外装部材接合方法。
【請求項４】
１つの筐体を構成する第１の外装部材と第２の外装部材とを重ね合わせて固定する際に両外装部材の間に配置される嵌合部材であって、
前記第１の外装部材及び前記第２の外装部材少なくとも一方に形成された接合部に嵌め込まれる嵌入部を備えることを特徴とする嵌合部材。
【請求項５】
前記嵌入部を避ける位置にスイッチ部材を配置することを特徴とする請求項４に記載の嵌合部材。
【発明の詳細な説明】
【技術分野】
【０００１】
本発明は、例えばデジタルカメラ等、携帯可能な電子機器の筐体、外装部材接合方法、及び、嵌合部材に関する。
【背景技術】
【０００２】
従来より、デジタルカメラ等の携帯可能な電子機器においては、軽薄短小が常に求められる一方、より精度の高い部品配置や組み立て工程の簡略化、筐体の強度の維持が求められている。
例えば特許文献１においては、筐体が薄く、筐体内部の実装可能な容積が限られていながらも、撮像レンズユニットを精度良く配置することのできる実装構造が開示されている。
一方、筐体の強度を維持する実装構造としては特許文献２が挙げられる。この特許文献２によれば、一定の幅を有する後カバーにより筐体の強度を維持することが可能になっている。
【特許文献１】特開２００６−３５２３４３号公報
【特許文献２】特開２００４−１７３２０４号公報
【発明の開示】
【発明が解決しようとする課題】
【０００３】
このように、電子機器の実装における、軽薄短小、高い部品配置精度、組み立て工程の簡略化、強度の確保という夫々の課題は、単独での解決方法が考えられている。しかしながら、これらを全て解決する実装構造は依然として最適な解決手法が無いのが現実である。
【０００４】
本発明は以上の問題点に鑑みてなされたものであり、筐体の薄型化を実現しつつ、効率の良い実装容積の確保と筐体の強度の維持とを可能とすることを課題とするものである。
また、本発明は、より多機能になり、キーやボタン等の入力部材が増加しても、実装容積確保の効率化と筐体の強度の維持とを可能にすることを課題とするものである。
【課題を解決するための手段】
【０００５】
以上の課題を解決するため、請求項１に記載の発明は、第１の外装部材と第２の外装部材とを重ね合わせて構成される筐体において、前記第１の外装部材及び前記第２の外装部材の少なくとも一方に接合部が形成され、前記第１の外装部材と前記第２の外装部材とを重ね合わせて固定する際に両外装部材の間に配置され、前記接合部に嵌め込む嵌入部が形成された板状の嵌合部材を備えることを特徴とする。
【０００６】
請求項２に記載の発明は、請求項１に記載の発明において、前記嵌合部材は、前記嵌入部を避ける位置にスイッチ部材を配置することを特徴とする。
【０００７】
請求項３に記載の発明は、１つの筐体を構成する第１の外装部材と第２の外装部材を接合するための外装部材接合方法であって、前記第１の外装部材と前記第２の外装部材とを重ね合わせて固定する際に両外装部材の間に板状の嵌合部材を配置し、前記第１の外装部材及び前記第２の外装部材の少なくとも一方に形成された接合部に、前記嵌合部材に形成された嵌入部を嵌め込むことで、両外装部材を接合することを特徴とする。
【０００８】
請求項４に記載の発明は、１つの筐体を構成する第１の外装部材と第２の外装部材とを重ね合わせて固定する際に両外装部材の間に配置される嵌合部材であって、前記第１の外装部材及び前記第２の外装部材少なくとも一方に形成された接合部に嵌め込まれる嵌入部を備えることを特徴とする。
【０００９】
請求項５に記載の発明は、請求項４に記載の発明において、前記嵌入部を避ける位置にスイッチ部材を配置することを特徴とする。
【発明の効果】
【００１０】
本発明によれば、筐体の薄型化を実現しつつ、効率の良い実装容積の確保と筐体の強度の維持とを合理的に実現できる。
【発明を実施するための最良の形態】
【００１１】
以下、図を参照して本発明を実施するための最良の形態を詳細に説明する。
図１は本発明を適用した一実施形態の構成として筐体構成部品及び内部部品を分解して示したもので、１は上面ケース、２はシャッターキー部材、３は第１のキー部材（スイッチ部材）、４は第２のキー部材、５はスイッチＦＰＣ、６は嵌合用フレーム（嵌合部材）、７は背面ケース（第１の外装部材）、８は液晶モジュール、９はストロボユニット、１０はメインフレーム、１１は接合用フレーム、１２はメイン基板、１３は下面ケース、１４はカメラモジュール、１５は正面ケース（第２の外装部材）である。
【００１２】
ここで、上面ケース１は樹脂製、スイッチ部材である第１のキー部材３は金属製、嵌合部材である嵌合用フレーム６は金属製、第１の外装部材である背面ケース７は金属製、メインフレーム１０は金属製、下面ケース１３は樹脂製、第２の外装部材である正面ケース１５は金属製である。なお、嵌合用フレーム６、背面ケース７及び正面ケース１５は、何れもステンレスをプレス成形した板状のものである。
【００１３】
上面ケース１は、嵌合用フレーム６により背面ケース７と正面ケース１５とが接合される筐体の上面に装着され、この上面ケース１に沿ってシャッターキー部材２、第１のキー部材３及び第２のキー部材４が配置される。第１のキー部材３及び第２のキー部材４は嵌合用フレーム６上に載せられ、第１のキー部材３と嵌合用フレーム６との間にスイッチＦＰＣ５が介装される。
【００１４】
筐体内には、背面ケース７の方形開口７０側に位置する液晶モジュール８、ストロボユニット９及びメインフレーム１０が配置される。メインフレーム１０の左右一半部（図示では左側）は、正面ケース１５側に突出する電池収納部１０１が取り付けられており、この電池収納部１０１の上部にストロボユニット９が配置される。さらに、電池収納部１０１と正面ケース１５との間にメイン基板１２が配置され、このメイン基板１２とメインフレーム１０の下部間は、接合用フレーム１１で接合される。なお、メインフレーム１０及びメイン基板１２は、下面ケース１３上に固定される。
【００１５】
また、メインフレーム１０の左右他半部（図示では右側）と正面ケース１５間にカメラモジュール１４が配置される。このカメラモジュール１４は、ＣＣＤシフト方式手振れ防止機構を実現するための駆動部材（モータ）を具備するため、前記機構を備えていないカメラモジュールに比べ、実装に要する容積は大きくなっている。また、カメラモジュール１４の鏡筒は正面ケース１５の円形開口１５０から突出可能となっている。なお、背面ケース７及び正面ケース１５の下部は、ともに下面ケース１３に固定される。
【００１６】
さらに、図示例において、背面ケース７の上面の左右両側にフック部材１６、１７が取り付けられ、正面ケース１５の上部左右に係合孔１８、１９が形成されている。すなわち、背面ケース７と正面ケース１５は、その上面の左右両側において、フック部材１６、１７を係合孔１８、１９にそれぞれ下方から嵌め込んで互いに固定されるようになっている。
【００１７】
図２（ａ）は図１の筐体構成主要部品である上面ケース１、嵌合用フレーム６、背面ケース７及び正面ケース１５等を拡大して上下反対側から示したものである。図示のように、第１のキー部材３上に三個のキーボタン３１、３２、３３が装着されて、スイッチＦＰＣ５に三個のキードーム５１、５２、５３が形成されている。なお、キーボタン３１、３２、３３は樹脂製で、キーボタン３１、３２の間にはボタン一個分に相当する空間がある。
【００１８】
そして、嵌合用フレーム６には第１の嵌入部６１、６２、６３及び第２の嵌入部６４、６５、６６が形成されている。また、背面ケース７には第１の接合部７１、７２、７３が形成されている。更に正面ケース１５には第２の接合部１５１、１５２、１５３が形成されている。更にまた背面ケース７の上面片には、第１の接合部をなす三個の係合孔７１、７２、７３が間隔を開けて形成されている。これら三個の係合孔７１、７２、７３は、図１に示した左右両側のフック部材１６、１７の内方に位置している。
【００１９】
また、正面ケース１５の上面片にも、第２の接合部をなす三個の係合孔１５１、１５２、１５３が間隔を開けて形成されている。これら三個の係合孔１５１、１５２、１５３は、図１に示した左右両側の係合孔１８、１９の内方に位置している。
【００２０】
そして、嵌合用フレーム６には、背面ケース７側に位置する部分に、スイッチＦＰＣ５の三個のキードーム５１、５２、５３部分を載せてその上に第１のキー部材３の三個のキーボタン３１、３２、３３部分を載せるスペースが形成されるとともに、第１の嵌入部をなす三個のフック６１、６２、６３が間隔を開けて形成されている。これら三個のフック６１、６２、６３において、その左側と真ん中のフック６１、６２の間に一個のキーボタン３１が位置し、真ん中と右側のフック６２、６３との間に二個のキーボタン３２、３３が並んで位置するようになっている。
【００２１】
さらに、嵌合用フレーム６の正面ケース１５側に位置する部分には、第２の嵌入部をなす三個のフック６４、６５、６６が間隔を開けて形成されている。これら三個のフック６４、６５、６６は、反対側の三個のフック６１、６２、６３とそれぞれ対応する位置に設けられている。
【００２２】
図２（ｂ）は嵌入部を拡大して示したもので、背面ケース７側に位置するフック６１、６２、６３は、上方に膨出形状で背面ケース７と反対側が打ち抜き加工されている。これら三個のフック６１、６２、６３は、その膨出形状により背面ケース７の上面片の下面に沿って三個の係合孔７１、７２、７３に対しそれぞれ下方から嵌め込まれるようになっている。
【００２３】
また、正面ケース１５側に位置するフック６４、６５、６６も、上方に膨出形状で正面ケース１５と反対側が打ち抜き加工されている。これら三個のフック６４、６５、６６は、その膨出形状により正面ケース１５の上面片の下面に沿って三個の係合孔１５１、１５２、１５３に対しそれぞれ下方から嵌め込まれるようになっている。
【００２４】
さらに、図２（ａ）に示すように、嵌合用フレーム６には、正面ケース１５側の三個のフック６４、６５、６６の間に位置決めボス６７、６８が形成されて、正面ケース１５の上面片には、三個の係合孔１５１、１５２、１５３の間に位置決め切欠１５７、１５８が形成されている。これら二個の位置決め切欠１５７、１５８に位置決めボス６７、６８がそれぞれ差し込まれる。
【００２５】
なお、背面ケース７の三個の係合孔７１、７２、７３を有する上面片を形成する三個の突出片２１、２２、２３、及びフック部材１７が取り付けられる突出片２４には、正面ケース１５の三個の係合孔１５１、１５２、１５３及び係合孔１９を有する上面片を形成する四個の突出片２５、２６、２７、２８がそれぞれ重なり合うようになっている。
【００２６】
次に、外装部材接合方法、つまり、嵌合用フレーム６による背面ケース７及び正面ケース１５の上面接合方法を説明する。
【００２７】
図３（ａ）は正面ケース１５と嵌合用フレーム６との関係を拡大して示す。嵌合用フレーム６は、内部収納機器アッセンブリーの上面部において、正面ケース１５に接合される。すなわち、正面ケース１５上面の二個の位置決め切欠１５７、１５８に、嵌合用フレーム６の二個の位置決めボス６７、６８をそれぞれ差し込むと同時に、正面ケース１５上面の三個の係合孔１５１、１５２、１５３に、嵌合用フレーム６の三個のフック６４、６５、６６を下方からそれぞれ嵌め込む。尚、この図では省略しているが、組み立て工程においては、嵌合用フレーム６の背面ケース７側、三個のフック６１、６２、６３の位置を避けるようにスイッチＦＰＣ５の三個のキードーム５１、５２、５３部分が配置され、その上に第１のキー部材３の三個のキーボタン３１、３２、３３が配置される。
【００２８】
次に正面ケース１５と嵌合用フレーム６の接合状態を図３（ｂ）に示す。この接合状態において、フック６４、６５、６６は、図２（ｂ）に示したように、上方に膨出形状で正面ケース１５と反対側が打ち抜き加工されているので、正面ケース１５の上面片である突出片２５、２６、２７の下面に沿ってスムーズに移動して、三個の係合孔１５１、１５２、１５３に対しそれぞれ嵌め込まれた状態が外れ難いものとなっている。
【００２９】
さらに、背面ケース７を嵌合用フレーム６に接合した状態を図３（ｃ）に示す。すなわち、嵌合用フレーム６の三個のフック６１、６２、６３を、背面ケース７上面の三個の係合孔７１、７２、７３に下方からそれぞれ嵌め込む。このとき、背面ケース７の四個の突出片２１、２２、２３、２４に、正面ケース１５の四個の突出片２５、２６、２７、２８がそれぞれ重なり合っている。
【００３０】
以上による嵌合用フレーム６と背面ケース７の接合状態において、フック６１、６２、６３も、図２（ｂ）に示したように、上方に膨出形状で背面ケース７と反対側が打ち抜き加工されているので、背面ケース７の上面片である突出片２１、２２、２３の下面に沿ってスムーズに移動して、三個の係合孔７１、７２、７３に対しそれぞれ嵌め込まれた状態が外れ難いものとなっている。
【００３１】
以上のように、正面ケース１５上面の二個の位置決め切欠１５７、１５８に嵌合用フレーム６の二個の位置決めボス６７、６８をそれぞれ差し込んで位置決めすることで、正面ケース１５と嵌合用フレーム６との位置精度を向上できるとともに、嵌合用フレーム６上に載せた三個のキーボタン３１、３２、３３の位置精度も向上でき、さらに、背面ケース７の位置精度も向上できる。
【００３２】
そして、嵌合用フレーム６の各々三個ずつのフック６１、６２、６３及びフック６４、６５、６６で、背面ケース７の上面片（突出片２１、２２、２３）と正面ケース１５の上面片（突出片２５、２６、２７）とを、それぞれの係合孔７１、７２、７３及び係合孔１５１、１５２、１５３で挟み込むことにより嵌合を簡素化させつつ、嵌合後の位置精度を出すことができる。
【００３３】
なお、実施形態とは逆に、正面ケース１５上面に位置決めボスを設けるとともに嵌合用フレーム６に位置決め切欠を形成して位置決め部を構成しても良い。さらに、実施形態とは逆に、背面ケース７上面と嵌合用フレーム６に位置決め部を構成して、まず、背面ケース７と嵌合用フレーム６を接合してから、正面ケース１５に嵌合用フレーム６を接合するようにしても良い。
【００３４】
また、嵌合用フレーム６には、キーボタン３１、３２、３３の配列を有効活用して交互に挟み込むような三個ずつのフック６１、６２、６３及びフック６４、６５、６６を有する形状としたことで、正面ケース１５及び背面ケース７を安定して保持できる嵌合による接合を可能としている。
【００３５】
以上において、外装部材接合状態の図４（ａ）の矢印Ａ−Ａ線に沿った断面で上面ケース１を取り付けた状態を示した図４（ｂ）において、嵌合用フレーム６のメインフレーム１０上端外側に沿った側片６９に第１のキー部材３の側片３４が両面テープ３５で貼り付けられている。なお、スイッチＦＰＣ５の延長部５４が側片３４の外側に沿って配置される。
【００３６】
このように、嵌合用フレーム６をメインフレーム１０の上端に載せることで、キーボタン３１、３２、３３を押したときの剛性を確保している。また、嵌合用フレーム６でメインフレーム１０の上端を押えている。さらに、キーボタン３１、３２、３３等で発生する静電気を、嵌合用フレーム６からメインフレーム１０とアース取りすることもできる。
【００３７】
また、外装部材接合状態の図４（ａ）の矢印Ｂ−Ｂ線に沿った断面で上面ケース１を取り付けた状態を示した図４（ｃ）において、嵌合用フレーム６のフック６１、６２、６３、６４、６５、６６で背面ケース７と正面ケース１５を嵌合し、嵌合用フレーム６で背面ケース７と正面ケース１５の上面片（突出片２１、２２、２３及び突出片２５、２６、２７）を下方から押えている。
【００３８】
次に、本発明を適用した筐体を背面ケース側から見た図５（ａ）のＣ−Ｃ線に沿った断面を示した図５（ｂ）のように、カメラモジュール１４は、ＣＣＤシフト方式手振れ防止機構を具備する大きなものである。なお、図中、９１はストロボユニット９のコンデンサである。
【００３９】
なお、図６は比較例として示したもので、筐体を背面から見た図６（ａ）のＤ−Ｄ線に沿った断面を示した図６（ｂ）において、１０１は上面ケース、１０３は第１のキー部材、１３１、１３２、１３３はキーボタン、１０５はスイッチＦＰＣ、１０７は背面ケース、１０８は液晶モジュール、１０９はストロボユニット、１９１はコンデンサ、１１２はメイン基板、１１５は正面ケースである。このように、今まではカメラモジュールが小さいため、この断面位置では見えない部分に従前のカメラモジュールが収納されている。
【００４０】
これに対し、図５（ｂ）に示したように、ＣＣＤシフト方式手振れ防止機構を具備する大きなカメラモジュール１４は、筐体の大型化を招くことなく、従来と同様の筐体サイズで筐体に収納することができる。
従って、より薄い筐体でありながらも、実装容積確保の効率化と筐体の強度の維持とを合理的に実現できる。
【００４１】
なお、以上の実施形態においては、デジタルカメラの筐体としたが、本発明はこれに限定されるものではなく、他の電子機器の筐体であっても良い。
また、実施形態では、外装部材の上面部を接合するものとしたが、外装部材の下面部や側面部を接合するものでも良い。
さらに、外装部材及び嵌合部材の形状や材質、係合部、嵌入部及び位置決め部の形状や個数等も任意であり、その他、具体的な細部構造等についても適宜に変更可能であることは勿論である。
【００４２】
例えば、実施形態では、嵌合部材に備えるスイッチ部材をスイッチＦＰＣとボタンで構成したが、ダイヤルスイッチやスライドスイッチ等でも良く、さらには、スイッチではなく、表示ユニットやＬＥＤ発光ユニット等でも良い。
また、嵌合部材の嵌入部を鋭利な形状にすることで、金属の外装部材に塗装やアルマイト等の表面処理がされていても、嵌合部材を組み込む際に外装部材の表面処理を嵌入部で削りながら接合することで、金属同士のアース取りを兼ね備えるようにしても良い。
【図面の簡単な説明】
【００４３】
【図１】本発明を適用した一実施形態の構成を示すもので、筐体構成部品及び内部部品の分解斜視図である。
【図２】図１の筐体構成部品の主要部品等を拡大して上下反対側から示した分解斜視図（ａ）と、その嵌合部材の嵌入部を拡大して示した斜視図（ｂ）である。
【図３】一方の外装部材と嵌合部材との関係を拡大して示す平面図（ａ）と、その接合状態を示した平面図（ｂ）と、他方の外装部材も接合した状態を示した平面図（ｃ）である。
【図４】外装部材接合状態の平面図（ａ）と、その矢印Ａ−Ａ線に沿った断面図（ｂ）と、同じく矢印Ｂ−Ｂ線に沿った断面図（ｃ）である。
【図５】本発明を適用した筐体を背面ケース側から見た背面図（ａ）と、そのＣ−Ｃ線に沿った断面図（ｂ）である。
【図６】比較例として示した筐体の背面図（ａ）と、そのＤ−Ｄ線に沿った断面図（ｂ）である。
【符号の説明】
【００４４】
１  上面ケース
３  スイッチ部材
５  スイッチＦＰＣ
６  嵌合部材
６１、６２、６３、第１の嵌入部
６４、６５、６６  第２の嵌入部
６７、６８  位置決め部
７  第１の外装部材
７１、７２、７３  第１の接合部
１０  メインフレーム
１１  接合用フレーム
１２  メイン基板
１３  下面ケース
１４  カメラモジュール
１５  第２の外装部材
１５１、１５２、１５３  第２の接合部
１５７、１５８  位置決め部
【図１】
2008275840.tif 000003
【図２】
2008275840.tif 000004
【図３】
2008275840.tif 000005
【図４】
2008275840.tif 000006
【図５】
2008275840.tif 000007
【図６】
2008275840.tif 000008